(57)【特許請求の範囲】
【請求項１】
中空枠体の正面板にキー駒の頭部が出入りする複数の通口を形成したキーケーシングと：
軸体の側面に係合突起を形成するとともに、この軸体横断方向に、外側へ択一的に突出する所定軸幅の上側係止片と下側係止片を有する鍵型カム片をスライド可能に嵌装してなり、頭部がキーケーシングの通口から直角に出入りするように組み込まれた複数のキー駒と：
キーケーシングの内部軸方向にスライド可能に支持され、各キー駒をスライド係合可能に通す複数の通口を形成するとともに、この通口の縁辺肉厚に傾斜カム面を形成し、傾斜カム面のスライドによりキー駒の前記係合突起と係合してキー駒頭部を外側に押し出すようになされたリセットプレートと：
キーケーシングの内部軸方向にスライド可能に支持され、各キー駒をスライド係合可能に通す複数の通口を形成するとともに、これらの通口の左右両側に、前記キー駒の突出係止片を通すスリットを形成した開閉プレートと：
前記開閉プレートに接近してケーシングの軸方向にスライド可能に支持され、各キー駒の軸体と係止片をスライド係合可能に通す複数の通口を形成するとともに、これら通口の左右縁辺に、キー駒軸体の突出係止片に係合して該係止片をキー駒の軸体内部に押し戻す傾斜カム辺を形成したセットプレート：とを具備し、前記鍵型カム片の上側及び下側係止片の奥行き幅を、重ね合わせたセットプレートとリセットプレートの板厚に向き合う寸法に設定するとともに、キー駒を押し込んだ位置で上側係止片が前記セットプレートとリセットプレートの板幅に対向し、引き戻した位置で下側係止片がセットプレートとリセットプレートの板幅に対向するように配設したことを特徴とするキー装置。
【発明の詳細な説明】
【００１】
【発明の属する技術分野】
本発明はドアー、メイルボックス、金庫などの広い範囲に使用されるキー装置に関し、特に機械的な制御でキー番号を自由に設定、変更できるキー装置に関する。
【００２】
【発明が解決しようとする課題】
機械的な開閉機構で操作される従来のキー装置は、錠前ごとに開閉キー番号が決まっているため、他人に番号を知られてしまうと同じキーを使い続けることができなくなる。そうでなくとも、同じキー番号の長期使用は安全面で問題があり、適宜キー番号を変えることができれば安全を確保する上できわめて好都合である。
【００３】
しかしながら、従来の機械制御のキー装置は、錠前ごとに開閉キーの桁数や番号が決まっており、自由に変更できない構造になっている。このため、キー番号や桁数を変えようとするとキー装置自体を取り替えなければならなかった。これはコスト高になるだけでなく、取換えの煩雑さから危険が先送りになり、盗難などの被害に合うおそれもある。
【００４】
従って、本発明の目的は機械的な機構のみで開閉キー番号や桁数を自由に設定し、変更して使用することができるキー装置を提供することにある。
【００５】
【課題を解決するための手段】
上記の目的を達成するために、本発明のキー装置は、中空枠体の正面板にキー駒の頭部が出入りする複数の通口を形成したキーケーシングと：軸体の側面に係合突起を形成するとともに、この軸体横断方向に、外側へ択一的に突出する所定軸幅の上側係止片と下側係止片を有する鍵型カム片をスライド可能に嵌装してなり、頭部がキーケーシングの通口から直角に出入りするように組み込まれた複数のキー駒と：キーケーシングの内部軸方向にスライド可能に支持され、各キー駒をスライド係合可能に通す複数の通口を形成するとともに、この通口の縁辺肉厚に傾斜カム面を形成し、傾斜カム面のスライドによりキー駒の前記係合突起と係合してキー駒頭部を外側に押し出すようになされたリセットプレートと：キーケーシングの内部軸方向にスライド可能に支持され、各キー駒をスライド可能に通す複数の通口を形成するとともに、これらの通口の左右両側に、前記キー駒の突出係止片を通すスリットを形成した開閉プレートと：前記開閉プレートに接近してケーシングの軸方向にスライド可能に支持され、各キー駒の軸体と係止片をスライド可能に通す複数の通口を形成するとともに、これら通口の左右縁辺に、キー駒軸体の突出係止片に係合して該係止片をキー駒の軸体内部に押し戻す傾斜カム辺を形成したセットプレート：を具備し、前記鍵型カム片の上側及び下側係止片の奥行き幅を、重ね合わせたセットプレートとリセットプレートの板厚に干渉する寸法に設定するとともに、キー駒を押し込んだ位置で上側係止片が前記セットプレートとリセットプレートの板幅に対向し、引き戻した位置で下側係止片がセットプレートとリセットプレートの板幅に対向するように配設したことを特徴とする。
【００６】
【発明の実施の形態】
以下に、本発明の実施例を添付図面に基づいて説明する。
本発明のキー装置１は、キーケーシング２と、キーケーシング２の正面に対して直角に嵌装される複数のキー駒３と、キーケーシング２の内部軸方向にスライド可能に装着されるリセットプレート４、開閉プレート５及びセットプレート６を必須構成部材として備えている。
【００７】
キーケーシング２は、図１及び図２に示すように、中空枠体の正面板２ａにキー駒３の頭部を突出させる複数の通口２ｂを形成してある。
【００８】
キー駒３は、図３、図４に示すように、キーケーシング２の通口２ｂに対応する軸体３ａの側面に係合突起３ｂを一体に有するとともに、この軸体３ａの横断方向に略Ｚ字状の鍵型カム片７をスライド可能に嵌装してある。
この係合突起３ｂはキー駒３の頭部をキーケーシング通口２ｂの外側へ押し戻すときの受け部となる部材であり、下側受け面を下向き傾斜角に形成してある。また、Ｚ字状の鍵型カム片７は所定軸幅の上側係止片７ａと下側係止片７ｂを一体に有し、キー駒横断方向へのスライドにより上側係止片７ａと下側係止片７ｂがキー駒３の軸体３ａの外側へ択一的に突出する寸法に形成されている。鍵型カム片７のスライドは、好ましくはばね機構により、節度感をもたせて択一的に突出するようにする。
【００９】
リセットプレート４は、図４乃至図６に示すように、キーケーシング２の通口２ａに挿着したキー駒３の軸体３ａと係合突起３ｂを通し、且つキー駒３とのスライド係合を許容する長手寸法の複数の通口８を有し、この通口８の前記キー駒３の係合突起３ｂに対応する長手方向縁辺肉厚に該係合突起３ｂの下側受け面に係合してキー駒３の頭部をキーケーシング２の外側へ押し戻す傾斜カム面８ａを形成してある。
【０１０】
開閉プレート５は、図７のように、キーケーシング２の通口２ａに挿着したキー駒３の軸体３ａを通し、且つ軸体３ａとのスライド係合を許容する長手寸法の通口９を有し、この通口９の軸方向両側に軸体３ａの側面から突出した鍵型カム片７の上、下係止片７ａ、７ｂを通す左右スリット９ａ、９ｂを連設してある。
【０１１】
セットプレート６は、図８のように、キーケーシング２の通口２ａに挿着したキー駒３と鍵型カム片７の上、下係止片７ａ、７ｂを通し、且つ軸体３ａとのスライド係合を許容する長手寸法の複数の通口１０を有するとともに、各通口１０の左右縁辺を、キー駒３の軸体３ａの側面から突出している鍵型カム片７の上側係止片７ａ、又は下側係止片７ｂに係合して該係止片７ａ又は７ｂの一方をキー駒３の軸体３ａ内に押し戻し、他方を軸体３ａの外側へ突出させるテーパカム縁辺１０ａ、１０ｂに形成してある。
【０１２】
かくして、図の実施例では、図４に示すように、セットプレート６の上に開閉プレート５を配するとともに、その上方にリセットプレート４を配し、上下一致させた各プレートの通口８、９、１０にキー駒３の軸体３ａと鍵型カム片７を直角に挿入し、キー駒３群の頭部に正面板２ａの通口２ｂを通した後、各々のプレートの側面に形成した突起縁１１をキーケーシング２の側板の細長い開口１１´に臨ませてスライド自在に支持させてある。
尚、図の実施例は断面Ｌ形の一対のフレームを突き合わせて中空枠体のキーケーシング２を構成している。
【０１３】
鍵型カム片７の上側係止片７ａ及び下側係止片７ｂの奥行き幅は、重ね合わせたセットプレート６と開閉プレート５の板厚に向き合う寸法に設定されているとともに、キー駒３の鍵型カム片７とセットプレート６及び開閉プレート５の位置関係は、キー駒３を押し込んだ位置で、鍵型カム片７の上側係止片７ａが前記セットプレート６と開閉プレート５の板幅に向き合い、キー駒３を引き戻した位置で鍵型カム片７の下側係止片７ｂがセットプレート６と開閉プレート５の板幅に向き合うように設定されている。
【０１４】
リセットプレート４、開閉プレート５及びセットプレート６のスライド操作レバーは各プレート独自に設けてもよいが、図の実施例ではセットプレート６のみ独自の操作レバー１２を設け、リセットプレート４と開閉プレート５は、相反する方向へスライドすることによって各々の機能が働くようにした上で、これらリセットプレート４と開閉プレート５を共通の操作レバー１３でスライドさせるようにしてある。
【０１５】
このため、図の実施例では重ね合わせたリセットプレート４と開閉プレート５に軸方向の長孔１４、１５を形成して上下プレートに固定された操作レバー１３の軸を貫通させるとともに、リセットプレート４の長孔１４と開閉プレート５の長孔１５は、リセットプレート４の長孔１４の一側端部（図では右端）に操作レバー１３の軸の一側が係止されているときに、開閉プレート５の長孔１５の他側端部（図では左端）に前記操作レバー１３の軸の他側が係止されるようにその寸法と位置関係を設定してある。
【０１６】
上記の構成により、操作レバー１３を図の右側へ動かすとリセットプレート４だけが右側へスライドしてキー駒３が手間へ押し戻され、操作レバー１３を図の左側へ動かすと開閉プレート５だけが左側へスライドし、右端部が鍵掛けの相手部材から引き抜かれて扉が開けられる状態になる。
【０１７】
上記リセットプレート４、開閉プレート５、セットプレート６は矢印方向へスライドさせた後、ばね１６により元の位置に復帰するように付勢させてある。
特に、リセットプレート４と開閉プレート５は、一側に形成した相互の切り込み１７、１８の爪間に共有のばね１６を嵌装し、相反する方向へ択一的にスライドする部材が相手側の固定部材に係止された前記ばね１６により相互に復帰するようになっている。
【０１８】
尚、セットプレート６は操作レバー１３と係合しない長孔１９により独自にスライドするようになっており、また、図は省略したが、キーケーシング２に操作レバー１３を突出させて移動可能にするスリットが形成されている。
【０１９】
キー装置１のキーケーシング２、開閉プレート５、セットプレート６は薄くて強度のあるステンレスなどの金属板を使用することができる。
他方、リセットプレート４は通口８の縁辺に傾斜カム面８ａを形成する必要から、所定の厚みのプラスチック板を使用するのが望ましい。
【０２０】
次に、本発明の作用を説明する。
［暗唱キーセッティングの前処理］
操作レバー１３でリセットプレート４を右へスライドさせると、すべてのキー駒３の係合突起３ｂ下側にリセットプレート４の傾斜カム面８ａが滑り込み、すべてのキー駒３を手前に押し出す。したがって、この状態ではすべてのキー駒３の鍵型カム片７は上側係止片７ａが開閉プレート５の上方に位置し、下側係止片７ｂが開閉プレート５とセットプレート６の通口９、１０内に位置している。
【０２１】
［暗唱キーのセッティング］
この状態で暗唱キーとして任意に選定した任意個数のキー駒３を押し込むと、選定キー駒の上側係止片７ａが開閉プレート５とセットプレート６の通口９、１０の位置にくる。ここでセットプレート６を左にスライドさせると、選定キー駒の上側係止片７ａがキー駒３の軸体内に押し込められると同時に、下側係止片７ｂがセットプレート６の下側で軸体外側へ突出することにより、開閉プレート５がスライド可能となって暗唱キー駒として設定される。
【０２２】
［旋錠］
この状態でリセットプレート４を図の右へスライドさせると、暗唱キーが押し出され、突出していた暗唱キー駒の下側係止片７ｂが開閉プレート５の通口９のスリット９ａに入って開閉プレート５をスライド不能にし、旋錠された状態になる。
【０２３】
［開錠］
暗唱キーを押し込むと、開閉プレート５を係止させていた該暗唱キーの下側係止片７ｂが、開閉プレート５の下方に移動するので、開閉プレート５はスライド可能となり、鍵が開けられる。
［再旋錠］
リセットプレート４を右へスライドさせると、暗唱キーが再び押し出され、下側係止辺７ｂが通口９のスリット９ａに入って再び旋錠される。
【０２４】
［暗唱キーの設定変更］
リセットプレート４をスライドさせて、すべてのキー駒３を押し上げた後、新たに選定したキー駒を押し込んでセットプレート６をスライドさせると、新たなキー駒の上側係止片７ａがキー駒の軸体に押し込められると同時に下側係止片７ｂがキー駒の軸体から突出して新しいキー駒が暗唱キー駒として設定される。これと同時に、元の暗唱キーの下側係止片７ｂがキー駒軸体内に押し込まれて設定がキャンセルされる。
【０２５】
図１乃至図８の実施例は、キーケーシング２及び各プレート４、５、６の各通口２ａ、８、９、１０とこれに嵌めるキー駒３を直線状に配列し、各プレート４、５、６を直線方向へスライド操作する場合を例示したが、本発明はこれに限らず、例えば、図９乃至図１２に示すように、キーケーシング２及び各プレート４、５、６の各通口２ａ、８、９、１０とキー駒３を円形に配列し、各プレート４、５、６を円形にスライド操作することもできる。
【０２６】
【効果】
本発明は、機械的な手段のみで、暗唱番号、暗唱桁数を使用者自らが任意に設定でき、自由に変更することが可能なキー装置を得ることができる。
【０２７】
暗唱番号の桁数が固定されず、自分のキー番号を任意のキー駒数を用いて任意の組合せで設定できるから、暗唱番号の選択範囲が著しく拡張するとともに、銀行暗唱番号のように桁数に拘束されないので、簡単な暗唱番号から複雑な暗唱番号まで、目的にあわせた安全性がえられる。
【０２８】
鍵番号を自由に変更できるので、他人に番号を知られても新たな番号を設定することにより、キーを取り替えたのと同じセキュリテイが確保される。しかも、設定した番号は鍵の製造者にも知られていない独自の番号であるから、秘密保持性は著しく高い。
【０２９】
電子機器を一切用いず、機械的機構のみで構成されているので、製作コストが安く、水や温度の影響を受けず、電子部品を使用する場合の不都合がない。
【図面の簡単な説明】
【図１】本発明の実施例によるキー装置の正面図
【図２】図１の上面図
【図３】図１のＡ−Ａ線拡大断面図
【図４】キー駒の具体例を示す斜視図
【図５】リセットプレート正面図
【図６】図５のＢ−Ｂ線部分拡大断面図
【図７】開閉プレート正面図
【図８】セットプレート正面図
【図９】本発明の他の実施例によるキー装置の正面図
【図１０】図９実施例のリセットプレート正面図
【図１１】図９実施例の開閉プレート正面図
【図１２】図９実施例のセットプレート正面図
【符号の説明】
１…キー装置
２…キーケーシング
２ａ…正面板
２ｂ…通口
３…キー駒
３ａ…軸体
３ｂ…係合突起
４…リセットプレート
５…開閉プレート
６…セットプレート
７…鍵型カム片
７ａ…上側係止片
７ｂ…下側係止片
８…通口
８ａ…傾斜カム面
９…通口
９ａ、９ｂ…スリット
１０…通口
１０ａ、１０ｂ…テーパカム縁辺
１１…突起縁
１１´…開口
１２、１３…操作レバー
１４、１５…長孔
１６…ばね
１７、１８…切り込み
１９…長孔
【整理番号】ＰＡＳ００２―００７
【図１】
0004070086.tif 000002
【図２】
0004070086.tif 000003
【図３】
0004070086.tif 000004
【図４】
0004070086.tif 000005
【図５】
0004070086.tif 000006
【図６】
0004070086.tif 000007
【図７】
0004070086.tif 000008
【図８】
0004070086.tif 000009
【図９】
0004070086.tif 000010
【図１０】
0004070086.tif 000011
【図１１】
0004070086.tif 000012
【図１２】
0004070086.tif 000013